(57)【要約】【課題】基板の冷却効果を良好に高める。【解決手段】基板配置室１０３にドライブ基板１０１、メイン基板１０２等が配置されている。基板配置室１０３のドライブ基板１０１とメイン基板１０２との間の空間部分に、流路形成部品１２０が配置される。この流路形成部品１２０は、断面形状が、吸気口１０５側および排気口１０６側が先細とされた、台形状とされている。この流路形成部品１２０は、２個所で折り曲げられている板状部材１２０ａと平板状の板状部材１２０ｂとにより構成されている。吸気口１０５から基板配置室１０３内に取り込まれる冷却用空気は、流路形成部品１２０によりスムーズに２つに分けられ、メイン基板１０２側、およびドライブ基板１０１側に流れていく。流路形成部品１２０が配置されていることで流路が狭くなっており、各基板部分における流速は速くなる。そのため、基板が効率的に冷却される。【選択図】図８
2009123307.tif 000002
【特許請求の範囲】
【請求項１】
基板が配置される基板配置室を有し、
上記基板配置室の一の方向の一端側に冷却用の空気を取り込む吸気口が設けられ、上記基板配置室の上記一の方向の他端側に上記空気を排出する排気口が設けられ、
少なくとも、上記基板配置室の上記一の方向と直交する方向の一端側に第１の基板が配置され、上記基板配置室の上記一の方向と直交する方向の他端側に第２の基板が配置されている電子機器において、
上記基板配置室の上記第１の基板および上記第２の基板の間に、少なくとも、断面形状が上記基板配置室の上記一の方向の一端側および他端側が先細となっている流路形成部品が配置されている
ことを特徴とする電子機器。
【請求項２】
上記流路形成部品の表面に、上記吸気口から取り込まれた空気の流れを規制する流路規制部が形成されている
ことを特徴とする請求項１に記載の電子機器。
【請求項３】
上記流路形成部品は、上記第１の基板と対向して配置される第１の板状部材と、上記第２の基板と対向して配置される第２の板状部材とにより構成されている
ことを特徴とする請求項１に記載の電子機器。
【発明の詳細な説明】
【技術分野】
【０００１】
この発明は、例えば、光ディスク装置等の電子機器に関する。詳しくは、この発明は、基板が配置される基板配置室に、冷却用の空気を取り入れる吸気口側およびこの空気を排出する排気口側が先細形状とされた流路形成部品を配置することにより、基板の冷却効果を良好に高めるようにした電子機器に係るものである。
【背景技術】
【０００２】
従来、光ディスク装置等の電子機器において、回路基板の冷却効果を高めるために種々の技術が提案されている。例えば、ファンの風量、あるいはファン数を増やすことで、冷却効果を高めることが提案されている。また、例えば、冷却用空気を流したい部分を囲うようにダクトを形成することで、冷却効果を高めることが提案されている（例えば、特許文献１参照）。
【特許文献１】特開平３−１７３９８９号公報
【発明の開示】
【発明が解決しようとする課題】
【０００３】
ファンの風量、あるいはファン数を増やすものにあっては、騒音等の問題で商品性が低下するという問題がある。また、ダクトを形成するものにあっては、場合によってはダクト形成部品として複雑な形状が必要となる、あるいは、冷却したい場所が離れている場合にはダクトを複数個必要とする等の問題がある。
【０００４】
この発明の目的は、基板の冷却効果を良好に高めることにある。
【課題を解決するための手段】
【０００５】
この発明の概念は、
基板が配置される基板配置室を有し、上記基板配置室の一の方向の一端側に冷却用の空気を取り込む吸気口が設けられ、上記基板配置室の上記一の方向の他端側に上記空気を排出する排気口が設けられ、
少なくとも、上記基板配置室の上記一の方向と直交する方向の一端側に第１の基板が配置され、上記基板配置室の上記一の方向と直交する方向の他端側に第２の基板が配置されている電子機器において、
上記基板配置室の上記第１の基板および上記第２の基板の間に、少なくとも、断面形状が上記基板配置室の上記一の方向の一端側および他端側が先細となっている流路形成部品が配置されている
ことを特徴とする電子機器にある。
【０００６】
この発明において、基板配置室の一の方向に吸気口および排気口が設けられており、この基板配置室の一の方向と直交する方向に第１の基板および第２の基板が離間した状態で配置されている。そして、第１の基板および第２の基板の間に、吸気口側および排気口側が先細形状とされた流路形成部品が配置される。
【０００７】
吸気口から取り込まれた空気は、流路形成部品の吸気側が先細形状とされているため、スムーズに分流されて第１の基板側および第２の基板側に導かれていく。この場合、流路形成部品の存在により、第１の基板側および第２の基板側の空気の流路は狭くなるため、第１の基板部分および第２の基板部分をそれぞれ通過する空気の流速は早くなる。また、第１の基板部分および第２の基板部分を通過した空気は、流路形成部品の排気側が先細形状とされているため、スムーズに合流して排気口から排出されていく。
【０００８】
このように、流路形成部品が配置されることで第１の基板および第２の基板の冷却に不要な部分を流れる空気が大幅に低減され、また、第１の基板部分および第２の基板部分をそれぞれ通過する空気の流速が早くなることから、基板の冷却効果を高めることができる。ファンの風量、あるいはファン数を増やすものではなく、また、ダクトを形成するものではなく、それらによる従来のような問題はない。
【０００９】
この発明において、例えば、流路形成部品の表面に、吸気口から取り込まれた空気の流れを規制する流路規制部が形成される、ようにされてもよい。この場合、流路規制部により、基板側に導かれた空気が、基板の冷却に不要な部分を流れないように、流路を規制することが可能となる。
【００１０】
この発明において、例えば、流路形成部品は、第１の基板と対向して配置される第１の板状部材と、第２の基板と対向して配置される第２の板状部材とにより構成される、ようにされてもよい。この場合、流路形成部品、従って電子部品の重量の増加、価格の増加を抑制することが可能となる。
【発明の効果】
【００１１】
この発明によれば、基板が配置される基板配置室に、冷却用の空気を取り入れる吸気口側およびこの空気を排出する排気口側が先細形状とされた流路形成部品を配置するものであり、基板の冷却効果を良好に高めることができる。
【発明を実施するための最良の形態】
【００１２】
以下、図面を参照しながら、この発明の実施の形態について説明する。
【００１３】
まず、図１０を参照して、従来の光ディスク装置２００の構成例を説明する。この図１０は、光ディスク装置２００を裏面側から見た図であり、しかも、ドライブ基板２０１、メイン基板２０２等が配置される基板配置室２０３が開放された状態で示している。ドライブ基板２０１は、ドライブブロック２０４に取り付けられている。
【００１４】
基板配置室２０３は、矩形状に形成されている。この基板配置室２０３の一方向、つまり、ディスク装置２００の前後方向の一端側（前側）には、冷却用の空気を取り込む吸気口２０５が設けられている。また、この基板配置室２０３の一方向、つまり、光ディスク装置２００の前後方向の他端側（後側）には、冷却用の空気を排出する排気口２０６が設けられている。
【００１５】
光ディスク装置２００の筐体の裏面前側には、冷却用の空気を外部から取り込むための空気取り込み口２０７が形成されている。この空気取り込み口２０７から筐体内に取り込まれた空気は、上述した吸気口２０５から基板配置室２０３内に取り込まれる。
【００１６】
また、光ディスク装置２００の後側には電源およびコネクタ関係の基板が配置されている。そして、光ディスク装置２００の後面にはコネクタ群２０８が取り付けられていると共に、上述した冷却用の空気を外部に排出する空気排出口２０９Ａ，２０９Ｂが形成されている。なお、これら空気排出口２０９Ａ，２０９Ｂに対応して、筐体内にはファン２１０Ａ，２１０Ｂが配設されている。
【００１７】
上述したように吸気口２０５から基板配置室２０３に取り込まれた空気は排気口２０６から排出され、さらに、電源およびコネクタ関係の基板が配置された筐体内を通過して、空気排出口２０９Ａ，２０９Ｂから、外部に排出される。
【００１８】
図１１は、上述した光ディスク装置２００の各部を模式的に表し、冷却用の空気の流れを、矢印で示している。すなわち、冷却用の空気は、空気取り込み口２０７から基板配置室２０３に取り込まれる。この空気により、基板配置室２０３に配置されているドライブ基板２０１、メイン基板２０２、さらにはサブ基板２０２ａが冷却される。そして、この空気は、基板配置室２０３から、さらに、電源およびコネクタ関係の基板が配置された筐体内を通過し、ファン２１０Ａ，２１０Ｂにより、筐体の外部に排出される。
【００１９】
図１２は、上述した光ディスク装置２００における冷却用空気の流れのシミュレーション結果を示している。空気取り込み口２０７から吸気口２０５を通じて基板配置室２０３に取り込まれた冷却用の空気の大部分は、矢印Ｐ１で示す丸枠部分のように、基板冷却には寄与しない部分を流れている。また、メイン基板２０２およびサブ基板２０２ａの部分では、矢印Ｐ２で示すように、空気の逆流が生じている。この図１２に示す冷却用空気の流れから、基板の冷却が効率的に行われていないことがわかる。
【００２０】
次に、この発明の実施の形態について説明する。図１は、実施の形態としての光ディスク装置１００の構成例を示している。この図１は、光ディスク装置１００を裏面側から見た図であり、しかも、ドライブ基板１０１、メイン基板１０２等が配置される基板配置室１０３が開放された状態で示している。ドライブ基板１０１は、ドライブブロック１０４に取り付けられている。
【００２１】
基板配置室１０３は、矩形状に形成されている。この基板配置室１０３の一方向、つまり、光ディスク装置１００の前後方向の一端側（前側）には、冷却用の空気を取り込む吸気口１０５が設けられている。また、この基板配置室１０３の一方向、つまり、光ディスク装置１００の前後方向の他端側（後側）には、冷却用の空気を排出する排気口１０６が設けられている。
【００２２】
光ディスク装置１００の筐体の裏面前側には、冷却用の空気を外部から取り込むための空気取り込み口１０７が形成されている。この空気取り込み口１０７から筐体内に取り込まれた空気は、上述した吸気口１０５から基板配置室１０３内に取り込まれる。
【００２３】
また、光ディスク装置１００の後側には電源およびコネクタ関係の基板が配置されている。そして、光ディスク装置１００の後面にはコネクタ群１０８が取り付けられていると共に、上述した冷却用の空気を外部に排出する空気排出口１０９Ａ，１０９Ｂが形成されている。なお、これら空気排出口１０９Ａ，１０９Ｂに対応して、筐体内にはファン１１０Ａ，１１０Ｂが配設されている。
【００２４】
上述したように吸気口１０５から基板配置室１０３に取り込まれた空気は排気口１０６から排出され、さらに、電源およびコネクタ関係の基板が配置された筐体内を通過して、空気排出口１０９Ａ，１０９Ｂから、外部に排出される。
【００２５】
以上の構成は、上述の図１０に示す光ディスク装置２００における構成と同様である。図１に示す光ディスク装置１００においては、基板配置室１０３のドライブ基板１０１とメイン基板１０２との間の空間部分に、流路形成部品１２０が配置されている。
【００２６】
この流路形成部品１２０は、図２に示すように、断面形状が、吸気口１０５側および排気口１０６側が先細とされた、台形状とされている。この流路形成部品１２０は、２個所で折り曲げられている板状部材（第１の板状部材）１２０ａと平板状の板状部材（第２の板状部材）１２０ｂとにより構成されている。板状部材１２０ａ，１２０ｂは、例えば、プラスチック板を用いて形成されている。
【００２７】
図３、図４は、板状部材１２０ａの詳細構成を示している。図３（ａ）は底面図、図３（ｂ）は側面図を示している。図４は、底面側から見た斜視図を示している。この板状部材１２０ａの両側面には、光ディスク装置１００の筐体に取り付けるための複数の突起部１３１が形成されている。また、板状部材１２０ａには、底面側に切り起こされた矩形状の切り起こし部１３２に形成されている。この切り起こし部１３２は、流路規制部を構成している。この切り起こし部１３２は、吸気口１０５から取り込まれた冷却用の空気が、ドライブ基板１０１の配設方向に向かわずに、直接排気口１０６の方向に向かうのを阻止するために設けられている。
【００２８】
また、板状部材１２０ａの排気口側端には、板状部材１２０ｂの排気口側端を嵌合するためのＶ字状の折り返し部１３３が所定の間隔をもって複数個、この実施の形態では３個設けられている。ここで、板状部材１２０ａの排気口側端全体をＶ字状の折り返し部としないのは、吸気口１０５側からの空気の流れが、当該Ｖ字状の折り返し部によって乱されることを軽減するためである。なお、板状部材１２０ａには、基板配置室１０３に配置される他の部品、部材に当接することを回避するための逃げ部１３４も複数個形成されている。
【００２９】
図５は、基板配置室１０３に、板状部材１２０ａのみが配置された状態を示している。ドライブ基板１０１には、板状部材１２０ａの中央部分が対向した状態となる。この場合、吸気口１０５から取り込まれた冷却用空気の流路は、当該ドライブ基板１０１の部分で狭くなる。
【００３０】
図６、図７は、板状部材１２０ｂの詳細構成を示している。図６（ａ）は底面図、図６（ｂ）は側面図を示している。図７は、底面側から見た斜視図を示している。この板状部材１２０ｂの両側面には、光ディスク装置１００の筐体に取り付けるための複数の突起部１４１が形成されている。
【００３１】
また、板状部材１２０ｂの吸気口側端の全体には、板状部材１２０ａの吸気口側端を嵌合するためのＶ字状の折り返し部１４２が設けられている。この場合、折り返し部１４２を板状部材１２０ｂの吸気口側端の全体に渡って設けているのは、板状部材１２０ａ，１２０ｂを組み立てて構成した流路形成部品１２０の内部に、吸気口１０５から取り込まれた冷却用空気が入り込むことを防止するためである。なお、板状部材１２０ｂにも、基板配置室１０３に配置される他の部品、部材に当接することを回避するための逃げ部１４３が複数個形成されている。
【００３２】
次に、図１に示す光ディスク装置１００において、冷却用空気の流れを、図８の模式図を参照して説明する。
【００３３】
冷却用空気は、外部から空気取り込み口１０７を介して筐体内に取り込まれ、さらに、吸気口１０５から基板配置室１０３内に取り込まれる。このように基板配置室１０３内に取り込まれた冷却用空気は、流路形成部品１２０により大きく２つに分流されて、メイン基板１０２およびサブ基板１０２ａ側、およびドライブ基板１０１側に流れていく。
【００３４】
メイン基板１０２およびサブ基板１０２ａ側に流れる冷却用空気は、流路形成部品１２０の板状部材１２０ｂとサブ基板１０２ａとの間、およびサブ基板１０２ａとメイン基板１０２との間等を流れていく。この場合、流路形成部品１２０が配置されていることで流路が狭くなっており、この基板部分における流速は速くなる。
【００３５】
一方、ドライブ基板１０１側に流れる冷却用空気は、流路形成部品１２０の板状部材１２０ａとドライブ基板１０１との間等を流れていく。この場合、流路形成部品１２０が配置されていることで流路が狭くなっており、この基板部分における流速は速くなる。なお、板状部材１２０ａに設けられた切り起こし部１３２により、冷却用空気の流路が水平方向の内側に向くように規制され、当該冷却用空気が、ドライブ基板１０１の配設方向に向かわずに、直接排気口１０６の方向に向かうことが阻止される。
【００３６】
各基板部分を通過してきた冷却用空気は、基板配置室１０３から排気口１０６を介して排出され、さらに、空気排出口１０９Ａ，１０９Ｂを通じて外部に排出される。なお、上述したような冷却用空気の流れは、図８には図示していないが、空気排出口１０９Ａ，１０９Ｂに対応して筐体内に配置されているファン１１０Ａ，１１０Ｂによる空気吸引力で行われる。
【００３７】
図９は、上述した光ディスク装置１００における冷却用空気の流れのシミュレーション結果を示している。空気取り込み口１０７から吸気口１０５を通じて基板配置室１０３に取り込まれた冷却用の空気は、ドライブ基板１０１側と、メイン基板１０２およびサブ基板１０２ａ側に、分かれて流れていく。この場合、流路形成部品１２０の吸気口１０５側が先細とされているので、基板配置室１０３に取り込まれた冷却用の空気は、スムーズに分れて流れていく。
【００３８】
矢印Ｑ１で示すように、各基板部分に対応した流路が狭くなっていることで、空気の流速が速くなり、冷却効率が上がっている。また、矢印Ｑ２で示す丸枠部分のように、メイン基板１０２およびサブ基板１０２ａの部分においても空気の逆流は生じない。また、矢印Ｑ３に示すように、流路形成部品１２０の排気口１０６側が先細とされているので、空気の渦が生じずに各空気流が合流して、スムーズに排気口１０６に流れていく。
【００３９】
以上説明したように、図１に示す光ディスク装置１００においては、基板配置室１０３に流路形成部品１２０が配置されているため、基板の冷却に不要な部分を流れる空気が大幅に低減され、また、各基板部分を通過する空気の流速が速くなり、基板の冷却効果を高めることができる。この場合、ファンの風量、あるいはファン数を増やし、また、ダクトを形成することで基板の冷却効果を高めるものでなく、それらによる従来のような問題はない。
【００４０】
また、図１に示す光ディスク装置１００においては、流路形成部品１２０を構成する板状部材１２０ａに流路規制部を構成する切り起こし部１３２が設けられているので、吸気口１０５から取り込まれた冷却用の空気が、ドライブ基板１０１の配設方向に向かわずに、直接排気口１０６の方向に向かうことを阻止でき、ドライブ基板１０１側に流れてくる冷却用空気を効率的に使用できる。
【００４１】
また、図１に示す光ディスク装置１００においては、流路形成部品１２０は、ドライブ基板１０１と対向して配置される板状部材１２０ａと、メイン基板１０２、サブ基板１０２ａと対向して配置される板状部材１２０ｂとにより構成されており、内部が空洞とされているので、流路形成部品１２０、従って光ディスク装置１００の重量の増加、価格の増加を抑制できる。
【００４２】
なお、上述実施の形態において、流路形成部品１２０は、断面形状が台形状とされたものを示したが、この形状に限定されるものではない。要は、吸気口１０５側および排気口１０６側が先細とされた形状とされていればよい。また、上述実施の形態においては、流路形成部品１２０は２つの板状部材１２０ａ，１２０ｂからなるものを示したが、これに限定されるものではない。すなわち、この流路形成部品１２０を単一の部材で構成されたものとしてもよい。また、上述実施の形態においては、この発明を光ディスク装置１００に適用したものを示したが、この発明は、他の電子機器においても同様に適用できることは勿論である。
【産業上の利用可能性】
【００４３】
この発明は、基板の冷却効果を良好に高めることができるものであり、光ディスク装置等の電子機器に適用できる。
【図面の簡単な説明】
【００４４】
【図１】この発明の実施の形態としての光ディスク装置の構成例を示す斜視図である。
【図２】流路形成部品の断面形状を示す図である。
【図３】流路形成部品を構成する板状部材（第１の板状部材）の詳細構成を示す底面図および側面図である。
【図４】流路形成部品を構成する板状部材（第１の板状部材）の詳細構成を示す斜視図である。
【図５】基板配置室に流路形成部品を構成する板状部材（第１の板状部材）のみが配置された状態を示す図である。
【図６】流路形成部品を構成する板状部材（第２の板状部材）の詳細構成を示す底面図および側面図である。
【図７】流路形成部品を構成する板状部材（第２の板状部材）の詳細構成を示す斜視図である。
【図８】冷却用空気の流れを説明するための図である。
【図９】光ディスク装置における冷却用空気の流れのシミュレーション結果を示す図である。
【図１０】光ディスク装置の構成例を示す斜視図である。
【図１１】光ディスク装置の各部を模式的に表し、冷却用の空気の流れを矢印で示した図である。
【図１２】光ディスク装置における冷却用空気の流れのシミュレーション結果を示す図である。
【符号の説明】
【００４５】
１００・・・光ディスク装置、１０１・・・ドライブ基板、１０２・・・メイン基板、１０２ａ・・・サブ基板、１０３・・・基板配置室、１０４・・・ドライブブロック、１０５・・・吸気口、１０６・・・排気口、１０７・・・空気取り込み口、１０８・・・コネクタ群、１０９Ａ，１０９Ｂ・・・空気排出口、１１０Ａ，１１０Ｂ・・・ファン、１２０・・・流路形成部品、１２０ａ，１２０ｂ・・・板状部材、１３１，１４１・・・突起部、１３２・・・切り起こし部、１３３・・・折り返し部、１４３・・・逃げ部
【図１】
2009123307.tif 000003
【図２】
2009123307.tif 000004
【図３】
2009123307.tif 000005
【図４】
2009123307.tif 000006
【図５】
2009123307.tif 000007
【図６】
2009123307.tif 000008
【図７】
2009123307.tif 000009
【図８】
2009123307.tif 000010
【図１０】
2009123307.tif 000011
【図９】
2009123307.tif 000012
【図１１】
2009123307.tif 000013
【図１２】
2009123307.tif 000014